(57)【要約】  本発明は、ビデオ信号源が組み込まれた双眼鏡型表示装置に関するものであって、眼の高さ（１７）より上方、好ましくは、眉毛の位置または額の前に配置されるケース（２）と、眼の高さ（１７）より下方に配置される水平コンソール（４）と、水平コンソール（４）に固定された二つの画像表示ブロック（５ａ、５ｂ）と、ケース（２）の底部中央部を水平コンソール（４）の中央部に固定して連結するように構成され、二つの目（１６）の間に配置され、且つ頭部（８）に近接するように延在し、その下端部において直接的または間接的に鼻の隆起に当接するブリッジ要素（３）と、ケース（２）内に配置されたビデオ信号源（６）と、ビデオ信号源（６）から、ブリッジ要素（３）および水平コンソール（４）を通って、画像表示ブロック（５ａ、５ｂ）内に配置された表示装置（１０）まで延びる複数のワイヤ（７）と、双眼鏡型画像表示装置を頭部の両側に取り付けるための、一対の可撓性のクランプ用ステム（１）とを備える。【選択図】図１
2013510491.tif 000002
【特許請求の範囲】
【請求項１】
ビデオ信号源が組み込まれた双眼鏡型画像表示装置であって、
眼の高さ（１７）より上方、好ましくは、眉毛の高さ、または額の前に配置されるケース（２）と、
前記眼の高さ（１７）より下方に配置される水平コンソール（４）と、
前記水平コンソール（４）に固定された二つの画像表示ブロック（５ａ、５ｂ）と、
前記ケース（２）の底部中央部を前記水平コンソール（４）の中央部に固定して連結するように構成され、二つの目（１６）の間に配置され、且つ頭部（８）に近接するように延在し、その下端部において直接的または間接的に鼻の隆起に対して当接するブリッジ要素（３）と、
前記ケース（２）内に配置されたビデオ信号源（６）と、
前記ビデオ信号源（６）から、前記ブリッジ要素（３）および前記水平コンソール（４）を通って、前記画像表示ブロック（５ａ、５ｂ）内に配置された表示装置（１０）まで延びる複数のワイヤ（７）と、
前記双眼鏡型画像表示装置を頭部の両側に取り付けるための、一対の可撓性のクランプ用ステム（１）と、を備えることを特徴とする、双眼鏡型画像表示装置。
【請求項２】
前記ビデオ信号源（６）は、プロセッサ、メモリ、電流源、マイクロディスプレイドライバ回路、電力供給部、電気的な操作要素、およびコネクタを有する、請求項１に記載の双眼鏡型画像表示装置。
【請求項３】
前記ビデオ信号源（６）は、無線受信機、赤外線受信機、ビデオカメラ（２１）、マイクロフォン、アキュムレータチャージ回路、オーディオ回路、ＴＶチューナ、ＧＰＳモジュール、およびＧＳＭモジュールのうちのいずれか一つのコンポーネントを有する、請求項１または２に記載の双眼鏡型画像表示装置。
【請求項４】
前記ケース（２）は、イヤホンコネクタ、ＵＳＢポート、シリアルポート、メモリーカードスロット、アキュムレータチャージコネクタ、および赤外線ポートのうちのいずれか一つのコンポーネントを有する、請求項３に記載の双眼鏡型画像表示装置。
【請求項５】
前記ケース（２）は、平坦なバイザー状の形状を有する、請求項４に記載の双眼鏡型画像表示装置。
【請求項６】
前記バイザー状のケース（２）の上面に配置された押しボタン（２０）として、操作要素が形成される、請求項５に記載の双眼鏡型画像表示装置。
【請求項７】
前記ブリッジ要素（３）は、隆起部材（１９）を有する、請求項６に記載の双眼鏡型画像表示装置。
【請求項８】
前記画像表示ブロック（５ａ、５ｂ）の各々は、球面状または非球面状の操作面およびその凸面側に反射コーティングを含むメニスカスレンズ（１４）を有する、請求項７に記載の双眼鏡型画像表示装置。
【請求項９】
瞳（１１）に近接する、前記画像表示ブロック（５ａ、５ｂ）の各々の光伝達窓は、球面状または非球面状の操作面を含む補正レンズ（１５）を有する、請求項８に記載の双眼鏡型画像表示装置。
【発明の詳細な説明】
【技術分野】
【０００１】
本発明は、ビデオ信号源が組み込まれた、頭部装着型の双眼鏡型画像表示装置に関する。
【背景技術】
【０００２】
頭部装着型ディスプレイ（ＨＭＤ）は、本技術分野において広く知られている。公知の装置の殆どは、視界の中央部において、眼の高さでバーチャル画像を提供する。しかしながら、これは、視界を遮り、且つモバイル機器の使用を妨げる。このような欠陥を部分的に避けるために、単眼装置の解決手段が提案されてきた。この解決手段においては、片方の目の前においてのみ、表示ブロックまたは要素が配置されている。これらの解決手段においては、片方の眼がバーチャル画像を見ている一方で、他方の眼が周囲環境を同じ方向で見ていることにより、これら二つの眼の間に干渉が生じてしまうという欠点がある。また、眼の前の位置に半透明の光学素子を備える装置もある。この装置においては、周囲の環境が、バーチャル画像を透過して見られる。このような解決手段は、二つの種類の画像が重ね合わされ、それにより干渉するという欠点を有する。上記した課題を認識して、市場における双眼鏡型装置（例えば、Ｖｕｚｉｘ  ｉＷｅａｒ  ＡＶ９２０，ｅｚＶｉｓｉｏｎ  ＧＩ  Ｖｉｄｅｏ  Ｇｌａｓｓｅｓ，Ｉｃｕｉｔｉ  ＤＶ９２０，ＭｙＶｕ  Ｐｅｒｓｏｎａｌ  Ｍｅｄｉａ  Ｖｉｅｗｅｒ，ＩＴＧ  Ｖｉｄｉｘ，Ｍｏｂｉｎｔｅｃｈ  Ｐｅｒｓｏｎａｌ  Ｄｉｓｐｌａｙ  Ｇｌａｓｓｅｓ，Ｓｈｅｎｚｅｎ  Ｗ．Ｒｉｄｅｒ  ＲＤ−Ｅ２０２等）の大多数は、眼の高さに配置された細いケース内に収められた画像表示ブロックを備える。使用者は、この細いケースの上方および下方に周囲の環境を見ることができる。しかしながら、このような細いケースは、観察に関して最も重要な視界の一部、または使用者の水平線全体をも塞いでしまう。他の課題は、公知のＨＭＤの大多数は、ポータブルビデオまたはポケットコンピュータといったビデオ信号源に、スイングワイヤを介して連結されており、分離された画像ソースを運搬し、スイングワイヤをこれに連結し、且つ、使用後にスイングワイヤを巻き取って収容する必要があるので、コンパクトなデザインとならないことである。スイングワイヤを用いないコンパクトなデザインを提供するために、例えばコンピュータのような画像ソースも、ＨＭＤ内に一体的に組み入れる必要がある。仮に、これらのツールが眼の前に配置されたケースに組み込まれたとすると、前方の視界を遮ってしまう課題が残る、または増大さえすることとなる。しかしながら、仮に、上記ツールが眼鏡型装置のステムに組み込まれたとすると、ステムは、不必要に太く、且つ柔軟性がなくなってしまう。そして、ヒンジを有するステム内にワイヤを挿通する必要があり、このことは、ワイヤ断線の危険性を招くこととなる。さらに、このような装置は、使用者が自身の眼鏡とともに装着することが困難である。
【発明の概要】
【発明が解決しようとする課題】
【０００３】
本発明の目的は、高コントラスト画像を提供し、頭部に装着するための一対の可撓性ステムを備えるコンパクトタイプの双眼鏡装置を提供することである。ここで、上記装置は、水平線を完全に開放しつつ、頭部前の装置の中心部に配置された、コンピュータのようなビデオ信号源をさらに備える。
【課題を解決するための手段】
【０００４】
本発明の概念によれば、上記目的は、眼の直前ではなく、眼の高さより下方および上方に装置の画像生成要素を配置し、ブリッジ要素を眼に見えない位置に配置することによって達成される。この目的のために、ビデオ信号源は、眼の高さより上方、好ましくは、眉毛の高さ、または額の前において、水平で平坦なバイザー状のケース内に収容される。その一方で、画像表示ブロックは、眼の高さより下方に配置された水平コンソールの底部側の二つの端部に設置される。水平コンソールとバイザー状ケースは、頭部直前且つ両目の間の位置において延在する細いブリッジ要素によって連結される。また、このブリッジ要素は、鼻の隆起形状に対して傾斜し、且つ水平コンソールに一体的に形成される支持部を有する。ブリッジ要素の内部に、ワイヤが収容される。
【０００５】
画像表示ブロックは、放射型または光透過可能なマイクロディスプレイ、および拡大光学システムを備え、例えば、ルーペ、反射屈折光学系システム（ｃａｔａｄｉｏｐｔｒｉｃ  ｓｙｓｔｅｍ）、フリーフォームプリズム等、公知の解決手段のいずれの種類のものを含んでいてもよい。
【０００６】
更なる本発明の概念によれば、反射屈折光学系システムは、それ自体は広く知られているが、凹状の反射面と光分配要素を有している。この反射屈折光学系システムは、表示装置のスクリーンから瞳へ延びる光の経路に沿って、画像生成エラーを減ずるべく、球面状または非球面状の補正面が追加的に挿入されている場合のみ、如何なる瞳孔間距離を有する使用者に対しても、シャープな画像を提供するように構成され得る。
【０００７】
バイザー状のケースは、外部のオブザーバーからはエッジとして見られることとなる。または、より明確には、使用者と同じ身長の他人は、ケースの細い縁面のみを見ることができる。結果的に、ケースは頭部を覆うことはなく、軽量且つ目立たないように見える。このことは、人中で頭部に装着される装置においては非常に重要である。表示装置とビデオ信号源とを連結するワイヤは、可動ヒンジを横断することがない。これにより、ワイヤが断線する危険性を排除することができる。ビデオ信号源の全てのコンポーネントは、マイクロプロセッサ、メモリ、表示ドライバ、アキュムレータ、任意の受信機等を有し、上記したバイザー状のケース内に配置された単一の集積回路に一体的に組み込まれ得る。結果として、コンパクト且つ安価な製品となる。例えば押しボタンのような操作要素は、好ましくは、バイザー状のケースの上面に配置され得る。バイザー状のケースの底面を使用者の親指によって支持しつつ、押しボタンのいずれか一つを、使用者の人差し指または中指によって押すことができる。これにより、他の解決手段にて経験されるような、ボタン押し動作時に画像が使用者の視界内でジャンプしてしまうことを避けることができる。
【０００８】
本発明に係る双眼鏡型画像表示装置は、以下の図面を参照して、好ましい実施形態を通して説明される。
【図面の簡単な説明】
【０００９】
【図１】本発明に係る双眼鏡型画像表示装置の好ましい実施形態の斜視図である。
【図２】図１に示す装置が使用者の頭部に装着された状態を示す。
【図３】左眼の画像表示ブロックを断面図で示した、図１に示す装置の側面図である。
【図４】一例となり得る操作要素の配置を示す、本装置のバイザー状ケースの概略平面図である。
【発明を実施するための形態】
【００１０】
図１、２、および３に示すように、本発明に係る双眼鏡型画像表示装置は、基本的には、一対のクランプ用ステム１と、好ましくは図示されているような平坦なバイザー状のケース２と、ブリッジ要素３と、水平コンソール４と、二つの画像表示ブロック５ａ、５ｂと、ケース２内に配置されたビデオ信号源６と、複数のワイヤ７とを備える。ワイヤ７は、好ましくはホイルワイヤであって、ビデオ信号源６から画像表示ブロック５ａ、５ｂまで、ブリッジ要素３および水平コンソール４を通って延びている。ステム１は、射出成形により可撓性樹脂から構成されていることが好ましい。また、ステム１の厚さおよび断面は、開放状態において、使用者の頭部８にクランプされた場合に、使用者の頭部にクランプする力を過剰に与えることなく、ステムが装置を安定して保持し、その一方で、これらのステム１が、装置の重量を頭部の両側に分配するようになっている。これにより、事実上圧力に対して敏感である鼻の隆起への負荷が、一部軽減される。ステム１は、両方とも、眼鏡に従来から用いられているヒンジ９を有する。バイザー状のケース２には、ビデオ信号源６が収容される。ビデオ信号源６は、マイクロプロセッサと、メモリ、電力供給部、およびマイクロディスプレイドライバといった実用回路コンポーネントとを有する。これらコンポーネントの全ては、好ましくは、単一のチップに一体的に組み込まれる。また、ビデオ信号源は、付加的に、例えばＢｌｕｅｔｏｏｔｈまたはＷｉ−Ｆｉ接続回路といった無線受信機、ＴＶチューナ、ビデオカメラ２１、マイクロフォン、または他の如何なる要素も含んでいてもよい。図示された実施形態においては、バイザー状のケース２は、射出成形樹脂製の二つの薄い半体から構成され、その上側の半体と、ヒンジ９に延びる各ステム１の領域とは、一部材として形成されている。ブリッジ要素３は、ケース２の下側の半体の中央部から突出し、頭部８の近傍まで下方に向けて延びている。ブリッジ要素３は、硬いストライプ状のプレートとして形成されている。このプレートは、装着中に頭部８に近接して位置決めされ、これにより、いずれの眼１６の視界も、無視できる程度にのみ、覆われることとなる。ワイヤ７は、好ましくはホイルワイヤの形態で、ブリッジ要素３の内部、例えばその射出成形体の内部に配線される。ブリッジ要素３の下方端部は、鼻の隆起形状に対応する円弧状の面を有する。または、ブリッジ要素３は、隆起部材１９によって、鼻の隆起に取り付けられる。水平コンソール４は、ブリッジ要素３の下部の外側（すなわち、頭部８の反対側）に結合される。そして、水平コンソール４は、安定性の理由のため、ブリッジ要素３とともに一部材として形成される。水平コンソール４の全体は、自由な水平線の視界を提供するために、使用者の眼の高さ１７の下方に位置決めされている。上記二つの画像表示ブロック５ａ、５ｂは、水平コンソール４の底部側の端部に固定されている。ブリッジ要素３と画像表示ブロック５ａ、５ｂとの間において、ワイヤ７が、水平コンソール４の内部、好ましくはその射出成形体内部に配線されている。
【００１１】
図３に示されているように、例えばマイクロディスプレイのような表示装置１０と、上記表示装置のスクリーンを拡大するように構成された関連する光学要素は、画像表示ブロック５ａ、５ｂ内に配置されている。広く知られている、単純な凹状ミラーと半透明ミラーとのコンビネーションの代わりに、本発明に係る図示された実施形態においては、高い瞳孔間距離範囲（ｈｉｇｈ  ＩＰＤ  ｒａｎｇｅ）を提供する、斬新な解決手段が、好適に用いられている。表示装置１０から瞳１１に至る光の経路に沿って、表示装置１０から放射された光ビーム１２は、９０°の角度でビームスプリッタ板１３にて反射し、メニスカスレンズの第一の球面または非球面を透過する。そして、光ビーム１２は、上記メニスカスレンズ１４の第二の凸状球面または非球面に塗布された反射コーティングにて反射する。反射の後、光ビーム１２は、再度、上記第一の面および上記ビームスプリッタ板１３を透過し、その後に、補正レンズ１５の二つの球面または非球面も透過する。これらの経路に沿って、光ビームは、全て、五つの球面または非球面に到達する。これらの面は、眼球運動ボックス（すなわち、妨害的な画像生成エラーがない場合の、画像を見る瞳の動きの範囲）が、１０歳以上の男女人口における統計上の瞳孔間距離範囲（５９〜７１ｍｍ）の少なくとも９５％をカバーするように、コンピュータデザインプロセスによって最適化された面である。しかしながら、完全に自由な視界を提供するための眼球運動ボックスの垂直方向への拡張は、避けられるべきである。したがって、使用者の様々な鼻の隆起の高さのために、画像表示ブロック５ａ、５ｂの垂直方向への調節が、これらを眼の前に位置決めするために許容されるべきである。この調節は、上記隆起部材１９の調節または交換によって、実行することができる。
【００１２】
図４は、例示的実施形態の操作要素を示している。四つの押しボタン２０を用いて、特に、これらの内のいずれか一つのボタンを短押しあるいは長押し、または、これらボタンを組み合わせで押すことによって、ビデオ信号源６を単純に制御することができる。このことは、例えばブックページ、静止画および動画クリップといった、シーケンシャルメモリコンテンツに適したものである。（ギガバイトのオーダーの）実質的容量を有するメモリが使用される場合、動画クリップ、および映画でさえ、メモリに格納することができる。最小限の数のボタンを有するデザインは、それらの操作を迅速に習得することができるという利点と、習得後に装置を‘見ることなく’操作することができるという利点がある。自身の操作要素によって、本装置は、独立型の民生用電気および情報技術装置となる。そして、使用者は、例えば、バーチャルｅブック、または一対の映画鑑賞眼鏡としてこれを使用することができる。これにより、使用者は、公共の交通機関で一日に１〜２時間かけて学校または仕事に行く間に、‘手動操作のない’方法で、読む、学ぶ、または楽しむことができる。
【００１３】
本装置が、フルに機能するパーソナルコンピュータとして使用される場合、アルファベットやナンバーからなる完全なキーボードも必要となる。この目的のために、個人のスマートフォン（すなわち、タッチスクリーンでプログラム可能な携帯電話）が、特別なソフトウェアによって構成されてもよい。このソフトウェアは、押しボタンが押下され、またはタッチスクリーンの特定の領域が触れられたときに、押しボタンまたはタッチスクリーンの触れられた領域のコードを、ケース２の内部に組み込まれた受信機との無線相互接続を通して送信する。これにより、マイクロプロセッサを制御することが可能となる。タッチパッドと同様の方法で、スマートフォンのタッチスクリーン上を指でなぞることにより、カーソルがバーチャル画像上を移動可能であり、または、使用者が軽く叩くことによってクリックすることができ、これにより、使用者が、ファイルの操作、テキストの編集、またはメニューシステムの使用ができるようになる。携帯電話の小さなディスプレイサイズ（ポケットサイズのため、最大１０ｃｍのディスプレイ対角線を有する）が十分ではない場合、受信機の使用によって、携帯電話によって映される画像は、例えばｅメール、インターネットウェブページ、ユーチューブ（登録商標）動画クリップ、ゲーム、デジタルテレビ放送、またはダウンロードされた映画のような遠隔バーチャル画像として、頭部装着装置の大きく高解像度の表示装置上に表示されてもよい。この目的のために、無線周波数チャネルを介して画像を頭部装着装置の受信機にリアルタイムで送信するように構成されたソフトウェアは、携帯電話にて実行されるべきものである。
【００１４】
図１に示すように、小型ビデオカメラ２１も、ケース２内に配置されてもよい。好ましくは、小型ビデオカメラ２１は、上記マイクロプロセッサを有するチップ内に組み込まれ、装置の機能性をさらに高めることができる。公知の寸法を有する二次元のパターンがビデオカメラ２１の視界内に配置されたとき（例えば、テーブルの頂面上）、このパターンは、高速画像処理ソフトウェアを用いたマイクロプロセッサによって認識され、カメラの空間的位置および向きは、上記パターンの透視歪み（ｐｅｒｓｐｅｃｔｉｖｅ  ｄｉｓｔｏｒｔｉｏｎ）から決定できる。そして、メモリに格納された三次元モデルは、実際のカメラの方向を利用することによって、表示され得る。これにより、３Ｄモデルを、周囲３６０°の範囲で、視覚することが可能となる。このようなアプリケーションは、特に、工業デザイン、建築設計、工学設計の分野で、大変重要となり得る。さらなるアプリケーションは、手術台に横臥する患者の体を、いずれかの医療画像生成方法（例えば、ＣＴ、ＰＥＴ、ＭＲＩ）によって予め記録された複数の画像レイヤーから構築された３Ｄモデルに、空間的に置換することを含む。すなわち、このアプリケーションは、バーチャル画像の方向から、外科医に対して患者を‘透明化’する。このような方法を用いることによって、患者の血管系、骨格系、内臓系等を、患者の実際の部位において可視化することができ、検査された疾患の空間的位置を、容易に認識することができる。このことは、進歩した腹腔鏡手術および内視鏡手術において、理想的な貫通ポイントおよび方向の決定を容易とし、細胞組織のサンプリングにおいて、生体検査のポイント設定も容易とする。本装置は、ワイヤレスであるので、手術室において外科医の動作を妨害することがない。且つ、外科医の視界に自由な水平線が確保されるために、外科医は、自身の周囲環境を感知することを妨げられることもない。３Ｄモデルに加えて、メモリは、完全な患者の既往歴を格納してもよい。ケース２内に配置されたコントロールユニットは、病院のコンピュータ情報システムとの継続的な無線接続を維持することができる。そして、マイクロフォンがケース２に組み込まれている場合、コントロールユニットは、音声制御を通して、外科医が必要とし得る全ての実際的な情報（例えば、ＥＫＧまたは他の生体機能信号）を表示することもできる。
【００１５】
本装置は、イヤーカナル型のラウドスピーカをさらに備えてもよい。この場合、音声信号を、スイングワイヤによって、音声信号源を有するケース２のコネクタから耳にまで搬送することができる。
【００１６】
本装置は、３Ｄ画像を表示するように構成されてもよい。この目的のために、それ自体は公知である方法で、異なる画像が、眼１６の異なる視角に従って、左右の画像表示ブロック５ａ、５ｂにより表示される。
【００１７】
本発明に係る双眼鏡型画像表示装置は、上記に説明した好ましい実施形態に限定されない。しかしながら、添付された特許請求の範囲によって定義された発明の範囲内において、多くの修正を施すことが可能である。
【図１】
2013510491.tif 000003
【図２】
2013510491.tif 000004
【図３】
2013510491.tif 000005
【図４】
2013510491.tif 000006
【手続補正書】
【提出日】平成23年5月4日(2011.5.4)
【手続補正１】
【補正対象書類名】特許請求の範囲
【補正対象項目名】全文
【補正方法】変更
【補正の内容】
【特許請求の範囲】
【請求項１】
頭部装着支持フレームと、
眼の高さより下方に配置され、表示装置および拡大光学システムを有する二つの画像表示ブロック（５ａ、５ｂ）と、を備える、ビデオ信号源が組み込まれた双眼鏡型画像表示装置であって、
眼の高さ（１７）より上方、好ましくは、眉毛の位置、または額の前に配置されるケース（２）と、
前記眼の高さ（１７）より下方に配置され、ヘッドの中央面から横方向両側に向けて突出する水平コンソール（４）であって、前記二つの画像表示ブロック（５ａ、５ｂ）が、該水平コンソール（４）の端部に固定される、水平コンソール（４）と、
前記ケース（２）の底部中央部を前記水平コンソール（４）の中央部に固定して連結するように構成され、二つの目（１６）の間に配置され、且つ頭部（８）に近接するように延在し、その下端部において直接的または間接的に鼻の隆起に当接するブリッジ要素（３）と、
前記ケース（２）内に配置されたビデオ信号源（６）と、
前記ビデオ信号源（６）から、前記ブリッジ要素（３）および前記水平コンソール（４）を通って、前記画像表示ブロック（５ａ、５ｂ）内に配置された表示装置（１０）まで延びる複数のワイヤ（７）と、をさらに備えることを特徴とする、双眼鏡型画像表示装置。
【請求項２】
前記ビデオ信号源（６）は、プロセッサ、メモリ、電流源、マイクロディスプレイドライバ回路、電力供給部、電気的な操作要素、およびコネクタを有する、請求項１に記載の双眼鏡型画像表示装置。
【請求項３】
前記ビデオ信号源（６）は、無線受信機、赤外線受信機、ビデオカメラ（２１）、マイクロフォン、アキュムレータチャージ回路、オーディオ回路、ＴＶチューナ、ＧＰＳモジュール、およびＧＳＭモジュールのうちのいずれか一つのコンポーネントを有する、請求項１または２に記載の双眼鏡型画像表示装置。
【請求項４】
前記ケース（２）は、イヤホンコネクタ、ＵＳＢポート、シリアルポート、メモリーカードスロット、アキュムレータチャージコネクタ、および赤外線ポートのうちのいずれか一つのコンポーネントを有する、請求項３に記載の双眼鏡型画像表示装置。
【請求項５】
前記ケース（２）は、平坦なバイザー状の形状を有する、請求項４に記載の双眼鏡型画像表示装置。
【請求項６】
前記バイザー状のケース（２）の上面に配置された押しボタン（２０）として、操作要素が形成される、請求項５に記載の双眼鏡型画像表示装置。
【請求項７】
前記ブリッジ要素（３）は、隆起部材（１９）を有する、請求項６に記載の双眼鏡型画像表示装置。
【請求項８】
前記画像表示ブロック（５ａ、５ｂ）の各々は、球面状または非球面状の操作面およびその凸面側に反射コーティングを含むメニスカスレンズ（１４）を有する、請求項７に記載の双眼鏡型画像表示装置。
【請求項９】
瞳（１１）に近接する、前記画像表示ブロック（５ａ、５ｂ）の各々の光伝達窓は、球面状または非球面状の操作面を含む補正レンズ（１５）を有する、請求項８に記載の双眼鏡型画像表示装置。
【国際調査報告】
2013510491.tif 000007
2013510491.tif 000008
2013510491.tif 000009